(57)【特許請求の範囲】
【請求項１】
洗濯処理、脱水処理、及び乾燥処理の少なくともいずれか１つの処理と前記処理で行う行程内容とを選択し、選択した前記処理を実行する衣類処理装置において、
前記行程内容と繊維製品の取り扱いに関する表示記号とを対応付けて記憶する記憶部と、
前記表示記号を表示する表示部と、
選択した前記行程内容に対応する前記表示記号を前記記憶部から取得し、取得した前記表示記号を前記表示部に表示させる制御部とを備え、
前記制御部は、選択した前記行程内容に対応する前記表示記号と、選択した前記処理の前記行程内容より強い前記行程内容に対応する前記表示記号とを前記表示部に表示させる衣類処理装置。
【請求項２】
選択した前記行程内容が変更されると、前記制御部は変更後の前記処理及び前記行程内容に対応する前記表示記号を前記表示部に表示させる請求項１に記載の衣類処理装置。
【請求項３】
前記表示部は、第１表示領域と、第２表示領域と、第３表示領域とを備え、
前記洗濯処理を選択すると、前記洗濯処理で行う行程内容に対応する前記表示記号を前記第１表示領域に表示し、
前記脱水処理を選択すると、前記脱水処理で行う行程内容に対応する前記表示記号を前記第２表示領域に表示し、
前記乾燥処理を選択すると、前記乾燥処理で行う行程内容に対応する前記表示記号を前記第３表示領域に表示する請求項１又は２に記載の衣類処理装置。
【請求項４】
前記制御部は、選択した前記行程内容に対応する前記表示記号のみを前記表示部に表示させる請求項１〜３のいずれか1項に記載の衣類処理装置。
【請求項５】
前記洗濯処理で行う行程内容に対応する前記表示記号は、洗い時間、すすぎ回数及び水流強さの少なくとも１つに応じて設定される請求項１〜４のいずれか１項に記載の衣類処理装置。
【請求項６】
前記脱水処理で行う行程内容に対応する前記表示記号は、脱水時間及び脱水時の回転数の少なくとも１つに応じて設定される請求項１〜５のいずれか１項に記載の衣類処理装置。
【請求項７】
前記乾燥処理で行う行程内容に対応する前記表示記号は、乾燥温度に応じて設定される請求項１〜６のいずれか１項に記載の衣類処理装置。
【発明の詳細な説明】
【技術分野】
【０００１】
本発明は、衣類処理装置に関する。
【背景技術】
【０００２】
洗濯機、乾燥機、洗濯乾燥機などの衣類に対して洗濯処理や脱水処理や乾燥処理を行う衣類処理装置では、衣類の材質に応じて予め設定された処理コースや使用者が設定した処理内容にしたがって様々な機械力で各種の処理を実行する。
【０００３】
このような衣類処理装置では、使用者が衣類の種類を判断しその判断に基づいて処理コースや処理内容を設定するが、設定した処理コースや処理内容が、衣類に対してどの程度の機械力があり、繊維製品の取り扱いに関する表示記号のどの記号に相当するのか分からない。そのため、使用者が、処理対象の衣類に対して適切な機械力の処理コースや処理内容を設定することが困難であるという問題がある。
【０００４】
２０１４年１０月２０日に公示されたＪＩＳ  L  ０００１：２０１４「繊維製品の取扱いに関する表示記号及びその表示方法」では、これまでのＪＩＳ  Ｌ  ０２１７：１９９５のように当該繊維製品の好ましい処理内容を指示する指示内容を表示するものではなく、回復不可能な損傷を起こさない最も厳しい処理・操作を示す上限情報を表示することになる。このように表示記号が示す情報が今後大きく変更されることもあり、使用者は、ますます適切な機械力の処理コースや処理内容を設定することが困難であるという問題がある。
【０００５】
なお、下記特許文献１には、衣類などに取り付けられた表示タグの識別コードから衣類情報を読み出し、当該衣類情報に基づいて洗濯装置を制御することが提案され、下記特許文献２には、商品取扱情報が記録された情報記録手段を有する商品タグによりその商品に応じた適切な洗濯機制御情報を取得して洗濯機を制御することが提案されているが、これらの従来技術では、高度な情報処理装置が必要となり製造コストがかかる問題がある。
【先行技術文献】
【特許文献】
【０００６】
【特許文献１】特開２００８−２８７５２５号公報
【特許文献２】特開２００２−１９６６７２号公報
【発明の概要】
【発明が解決しようとする課題】
【０００７】
そこで、繊維製品の取り扱いに関する表示記号に合った処理コースや処理内容を使用者が簡単に選択することができる衣類処理装置を提供することを目的とする。
【課題を解決するための手段】
【０００８】
本実施形態の衣類処理装置は、洗濯処理、脱水処理、及び乾燥処理の少なくともいずれか１つの処理と前記処理で行う行程内容とを選択し、選択した前記処理を実行する衣類処理装置において、前記行程内容と繊維製品の取り扱いに関する表示記号とを対応付けて記憶する記憶部と、前記表示記号を表示する表示部と、選択した前記行程内容に対応する前記表示記号を前記記憶部から取得し、取得した前記表示記号を前記表示部に表示させる制御部とを備え、前記制御部は、選択した前記行程内容に対応する前記表示記号と、選択した前記処理の前記行程内容より強い前記行程内容に対応する前記表示記号とを前記表示部に表示させるものである。
【図面の簡単な説明】
【０００９】
【図１】本発明の第１実施形態に係る洗濯機の縦断側面図である。
【図２】外蓋を開けた状態の洗濯機の斜視図である。
【図３】洗濯機の操作パネルの正面図である。
【図４】洗濯機の電気構成を示すブロック図である。
【図５】洗濯コースの行程内容、対応する表示記号、及び第２表示部に表示される表示記号を示す図である。
【図６】（ａ）洗濯処理記号群を示す図、（ｂ）脱水処理記号群を示す図、（ｃ）脱水処理記号群を示す図である。
【図７】洗濯処理の行程内容と表示記号との対応を示す図であって、（ａ）が水流「１」の場合、（ｂ）が水流「２」の場合、（ｃ）が水流「３」の場合、（ｄ）が水流「４」の場合、（ｅ）が水流「５」の場合を示す。
【図８】脱水処理の行程内容と表示記号との対応を示す図である。
【図９】乾燥処理の行程内容と表示記号との対応を示す図である。
【図１０】「標準」コースにおいて水流が「５」に設定された場合の一例を示す洗濯機の操作パネルの正面図である。
【図１１】風呂水が設定された場合の一例を示す洗濯機の操作パネルの正面図である。
【図１２】洗い行程のみが設定された場合の一例を示す洗濯機の操作パネルの正面図である。
【図１３】洗い行程とすすぎ行程が設定された場合の一例を示す洗濯機の操作パネルの正面図である。
【図１４】洗濯・乾燥コースが設定された場合の一例を示す洗濯機の操作パネルの正面図である。
【図１５】洗濯・乾燥コースが設定された場合の一例を示す洗濯機の操作パネルの正面図である。
【図１６】乾燥コースが設定された場合の一例を示す洗濯機の操作パネルの正面図である。
【発明を実施するための形態】
【００１０】
以下、本発明の一実施形態について、図面を参照して説明する。
【００１１】
図１は、本発明の一実施形態に係る洗濯乾燥機の斜視図である。図２は、図１に示される洗濯乾燥機の正面図である。図１及び図２に示す本実施形態に係る洗濯機１は、縦軸形であり、洗濯処理機能と乾燥処理機能を備えた洗濯乾燥機である。なお、本実施形態では、衣類処理装置として縦軸型の洗濯乾燥機を例示して説明するが、衣類処理装置は、乾燥処理機能を備えない縦軸型の洗濯機や洗濯処理機能を備えない縦軸型の乾燥機であってもよく、また、ドラム式の洗濯機や洗濯機乾燥機や乾燥機であってもよい。
【００１２】
図１において、外箱２は矩形箱状をなしていて、この外箱２と、当該外箱２の上部に装着されたトップカバー３とにより、洗濯乾燥機の外殻が形成されている。外箱２の下面には脚部４が設けられている。外箱２の内部には、水槽５と、この水槽５内に配設された回転槽６とが設けられている。
【００１３】
これら水槽５と回転槽６は、共に有底円筒状をなしていて、それぞれの軸中心線が上下方向に指向する縦軸状に配置されている。水槽５は、吊り棒７ａを主体とする弾性吊持機構７を介して外箱２に弾性的に吊持されている。水槽５は、貯水が可能な構成となっている。
【００１４】
回転槽６の底部６ａは、プラスチックにより形成された主底部と鋼板製の底板部とから椀状に形成されている。この底部６ａの上部には円筒状の胴部６ｂが連結されている。この胴部６ｂはステンレス鋼板などの金属板により円筒状に形成されており、周壁部に多数の孔部８を有している。
【００１５】
回転槽６内には、図示しない洗濯物が収容される。回転槽６は、洗い時には洗濯槽として、脱水時には脱水槽として、そして乾燥時には乾燥槽として機能する。回転槽６は縦軸状の回転中心軸を回転中心として回転可能である。
【００１６】
回転槽６内の底部６ａの内部には撹拌体１０が回転可能に配設されている。この撹拌体１０の裏面にはポンプ羽根１０ａが形成されている。又、撹拌体１０と回転槽６の底部６ａとの間はポンプ室１０ｂを構成している。
【００１７】
前記水槽５の底部６ａには、排水口５ａが形成されており、この排水口５ａには、排水弁１１及び排水管１２が接続されている。さらに水槽５には、排水口５ａに連通して水位検知用のエアトラップ５ｂが形成されている。
【００１８】
水槽５の外底部にはモータ１３が配設されている。このモータ１３はアウターロータ形であり、モータ１３の内部にクラッチ１４が配設されている。クラッチ１４は、撹拌体１０に連結された撹拌軸１０ｃと回転槽６に連結された回転軸６ｃとを一体的に回転させる場合（回転槽・撹拌体連結モード）と、回転軸６ｃは固定して撹拌軸１０ｃのみを回転させる場合（撹拌体モード）とを切り替える構成となっている。また、クラッチ１４は、前記排水弁１１と共通の駆動源であるクラッチモータ（不図示）の動作によって排水弁１１の開閉と連動する。
【００１９】
水槽５の上面には、環状をなす槽カバー１８が設けられていて、この槽カバー１８に、二つ折りの内蓋１９が開閉可能に設けられている。内蓋１９は、回転槽６の上面開口部の上方に位置しており、透視可能である。
【００２０】
上記トップカバー３には、内蓋１９の上方に位置させて、回転槽６に対して洗濯物を出し入れするための洗濯物出入口２０（図２参照）が形成されているとともに、この洗濯物出入口２０を開閉する二つ折りの蓋２１が設けられている。この蓋２１も透視可能であり、前記内蓋１９及び当該蓋２１を閉じた状態でも、回転槽６内部を視認できるようになっている。
【００２１】
トップカバー３の後部には、乾燥用の温風供給装置２２（乾燥手段）が配設されている。この温風供給装置２２は、機外の空気を吸い込んで吐出部２２ａから回転槽６内に吐出するファン２３（図４参照）と、回転槽６内に吐出する空気を加熱するヒータ２４（図４参照）などを備えて構成されている。前記ファン２３及びヒータ２４により生成された温風は、前記吐出部２２ａから主に回転槽６内に供給された後、孔部８を通して、回転槽６と水槽５との間にも供給される。そして、水槽５内の温風は、詳しい温風経路は図示しないが、水槽５の側壁に形成された排出ダクト（図示せず）から外部に出て、一部は回転槽６内に戻され、残りは機外に排出されるようになっている。
【００２２】
トップカバー３の前部の上面には、図３に示す操作パネル２５が設けられている。この操作パネル２５には、それぞれ使用者により操作される操作入力部として機能するものである。具体的には、電源の入りスイッチ２６、切りスイッチ２７、スタートと一時停止を兼ねるスタートスイッチ２８、全自動コースのうち洗濯コースを選択するための洗濯コース選択スイッチ２９、洗濯・乾燥コースを選択するための洗乾コース選択スイッチ３０、乾燥コースを選択するための乾燥コース選択スイッチ３１、洗い運転の実行時間などを設定するための洗い運転設定スイッチ３２、すすぎ回数などを選択するためのすすぎ運転設定スイッチ３３、脱水時間などを設定するための脱水運転設定スイッチ３４、水流の強さを５段階で設定するための水流設定スイッチ３５、水位を設定するための水位設定スイッチ３６、風呂水を使用するか否かを設定するための風呂水スイッチ３７が設けられている。
【００２３】
また、この操作パネル２５には、各種選択、設定内容、運転状況などを表示する第１表示部４１と、後述する繊維製品の取り扱いに関する表示記号を表示する第２表示部４２とが設けられている。前記スタートスイッチ２８は、運転停止状態でオン操作されると、運転スタートスイッチとして機能し、運転状態でオン操作されると一時停止スイッチとして機能する。
【００２４】
電気的構成を示す図４において、制御装置４６は、マイクロコンピュータを主体に構成されたもので、洗濯機の作動全般を制御する制御手段として機能するようになっている。この制御装置４６には、入力側の機器として、前記各スイッチ２６〜３７、水槽５内の水位を検知する水位センサ４７、蓋２１の開閉（開放と閉鎖）を検知する蓋開閉センサ４８、モータ１３の回転速度を検知する回転センサ４９、モータ１３に流れる電流を検知する電流センサ５５が接続されている。
【００２５】
制御装置４６は、上記入力側の機器からの各入力信号、並びにメモリ４６ａに予め記憶された制御プログラムに基づいて、出力側の機器である、前記第１表示部４１、前記第２表示部４２、前記モータ１３、回転槽６内へ給水するための給水弁５０、前記排水弁１１及びクラッチ１４を作動させるクラッチモータ１５、前記ファン２３、前記ヒータ２４、風呂水ポンプ５２、報知用のブザー５３を、それぞれ駆動回路５４を介して制御するようになっている。なお、この駆動回路５４は夫々対応する機器の駆動回路を総称している。
【００２６】
本実施形態の洗濯機１は、洗濯コース（洗濯運転）、乾燥コース（乾燥運転）、及び洗濯・乾燥コース（洗濯・乾燥運転）が全自動コースとして設定されている。
【００２７】
洗濯コースは、洗い行程とすすぎ行程とを行う洗濯処理と、脱水行程を行う脱水処理とを順に実行するコースである。
【００２８】
洗濯機１では、洗い行程、すすぎ行程、及び脱水行程の行程内容が異なり回転槽６に収容された衣類に与える機械力（負荷）が異なる複数種類の洗濯コースが設定されており、例えば、図５に示すような、「標準」、「つけおき」、「スピーディ」、「メモリ」、「デリケート」、「毛布」の６つの洗濯コースが設定されている。
【００２９】
「標準」コースは、洗い行程の行程内容として水流が「３」で洗い時間が「８分」に設定され、すすぎ行程の行程内容として水流が「３」ですすぎ回数が「２回」に設定され、脱水行程の行程内容として脱水時間が「７分」に設定されるコースである。なお、水流は、強弱を５段階に設定することができ、「１」が最も良く、「５」が最も強い。
【００３０】
「つけおき」コースは、洗い行程の行程内容として水流が「３」で洗い時間が「６０分」に設定され、すすぎ行程の行程内容として水流が「３」ですすぎ回数が「４回」に設定され、脱水行程の行程内容として脱水時間が「９分」に設定されるコースである。
【００３１】
「スピーディ」コースは、洗い行程の行程内容として水流が「２」で洗い時間が「５分」に設定され、すすぎ行程の行程内容として水流が「２」ですすぎ回数が「１回」に設定され、脱水行程の行程内容として脱水時間が「５分」に設定されるコースである。
【００３２】
「メモリ」コースは、予め使用者が設定した行程内容（洗い時間、洗いの水流の強さ、すすぎ回数、すすぎの水流の強さ、脱水時間等）を実施するコースである。
【００３３】
なお、「標準」、「つけおき」、「スピーディ」、「メモリ」の各コースは、洗い行程において水流の強度と洗い時間を、すすぎ行程において水流の強度とすすぎ回数を、脱水行程において脱水時間を変更することで各行程の運転強度（負荷）を変更することができ、その他の条件（例えば、洗い行程及びすすぎ行程における撹拌体１０を回転・停止する時間や、脱水行程における回転槽６の回転速度など）が各コースの間で同一に設定されている。
【００３４】
「デリケート」コースは、洗い行程の行程内容として「デリケート洗い」で洗い時間が「７分」に設定され、すすぎ行程の行程内容として「デリケートすすぎ」ですすぎ回数「２回」に設定され、脱水行程の行程内容として「デリケート脱水」で脱水時間が「５分」に設定される。ここで、「デリケート洗い」及び「デリケートすすぎ」は、他のコースで行われる洗い行程やすすぎ行程に比べて撹拌体１０の回転時間が短く衣類に与える機械力が小さい行程となっている。また、「デリケート脱水」は、他のコースで行われる脱水行程に比べて回転槽６の回転数が低く衣類に与える機械力が小さい行程となっている。
【００３５】
「毛布」コースは、洗い行程の行程内容として洗い時間が「１２分」に設定され、すすぎ行程の行程内容としてすすぎ回数が「２回」に設定され、脱水行程の行程内容として脱水時間が「７分」に設定されるコースである。なお、「毛布」コースの脱水行程は、「標準」、「つけおき」、「スピーディ」及び「メモリ」の脱水行程と脱水時間以外の条件は同一に設定されているが、「毛布」コースの洗い行程及びすすぎ行程は、撹拌体１０の回転・停止時間等の条件が他のコースと異なっている。
【００３６】
乾燥コースは、乾燥処理（乾燥行程）を実行するコースであり、該乾燥処理で実行される乾燥行程の行程内容が異なる複数種類のコースが設定されており、例えば、「標準（強）」、「標準（弱）」、「念入り」、「アイロン」、「タイマー（３０分）」、「そのまま」の６つの乾燥コースが設定されている。乾燥コースのうち、「標準（強）」、「念入り」及び「アイロン」は、排気温度が６０℃より高温となる高温乾燥を行い、「標準（弱）」、「タイマー（３０分）」及び「そのまま」は、排気温度が６０℃以下となる低温乾燥を行う。
【００３７】
洗濯・乾燥コースは、洗濯処理（洗い行程及びすすぎ行程）、脱水処理（脱水行程）、及び乾燥処理（乾燥行程）を順に実行するコースであり、上記した洗濯コースと乾燥コースとを組み合わせて設定されるコースである。
【００３８】
洗濯機１では、上記した全自動コース以外にも、洗い行程やすすぎ行程における水流の強弱や、洗い行程や脱水行程の実行時間や、すすぎ行程の繰り返し回数などを変更して各行程において運転強度（衣類に与える機械力）を使用者が任意に設定するマニュアル運転も設定することができる。
【００３９】
このような洗濯機１では、洗濯機１で実行する処理とその処理で行う行程内容が、ＪＩＳ  L  ０００１：２０１４に規定された繊維製品の取扱いに関する表示記号（以下、単に「表示記号」ということもある）に対応付けて制御装置４６に設けられたメモリ４６ａに記憶されている。なお、以下に述べる「記号番号」とは、ＪＩＳ  L  ０００１：２０１４において表示記号毎に規定された番号をいう。
【００４０】
具体的には、図６（ａ）に例示するように、記号番号１４０，１３０，１４１，１３１，１４２，１３２，１１０，１００の複数の洗濯処理記号Ｍ１４０，Ｍ１３０，Ｍ１４１，Ｍ１３１，Ｍ１４２，Ｍ１３２，Ｍ１１０，Ｍ１００からなる洗濯処理記号群ＭＡが洗濯処理に対応付けてメモリ４６ａに記憶されている。
【００４１】
洗濯処理で実行する洗い行程及びすすぎ行程の行程内容は、その行程内容が回転槽６に収容された衣類に与える機械力に対応する１又は複数の洗濯処理記号が洗濯処理記号群MAから選ばれ、選ばれた洗濯処理記号と対応付けてメモリ４６ａに記憶されている。
【００４２】
洗濯処理記号Ｍ１４０は、洗濯処理記号Ｍ１４１、Ｍ１４２、Ｍ１１０よりも衣類に与える機械力（負荷）の強い行程内容に対応付けられ、洗濯処理記号Ｍ１４０，Ｍ１４１，Ｍ１４２，Ｍ１１０の順で漸次弱い行程内容に対応付けられている。洗濯処理記号Ｍ１３０は、洗濯処理記号Ｍ１３０、Ｍ１３１、Ｍ１３２よりも衣類に与える機械力の強い行程内容に対応付けられ、洗濯処理機構Ｍ１３０，Ｍ１３１，Ｍ１３２の順で漸次弱い行程内容に対応付けられている。また、洗濯処理記号Ｍ１４０、Ｍ１４１、Ｍ１４２、Ｍ１１０は、洗濯処理記号Ｍ１３０、Ｍ１３１、Ｍ１３２より高温の洗濯水による洗い行程及びすすぎ行程に対応付けられている。
【００４３】
例えば、洗い行程及びすすぎ行程の水流が「１」に設定された場合、図７（ａ）に示すように、洗濯処理で実行する洗い行程及びすすぎ行程の行程内容に表示記号が対応付けられている。
【００４４】
すなわち、洗い行程の時間（洗い時間）が０〜６分、すすぎ回数が２回以下に設定された行程内容には、２つの洗濯処理記号Ｍ１４２，Ｍ１３２が対応付けられている。
【００４５】
洗い行程の時間が７〜１０分ですすぎ回数が３回以下に設定された行程内容、洗い行程の時間が１〜９分ですすぎ回数が３回に設定された行程内容、及び、洗い行程の時間が１〜８分ですすぎ回数が４回に設定された行程内容には、洗濯処理記号Ｍ１４１，Ｍ１３１が対応付けられている。
【００４６】
洗い行程の時間が１１〜１２分ですすぎ回数が２回以下に設定された行程内容、洗い行程の時間が１０〜１２分ですすぎ回数が３回に設定された行程内容、及び、洗い行程の時間が９〜１２分ですすぎ回数が４回に設定された行程内容には、洗濯処理記号Ｍ１４０，Ｍ１３０が対応付けられている。
【００４７】
洗い行程及びすすぎ行程の水流が「２」〜「５」に設定された場合は、図７（ｂ）〜（ｅ）に示すように、水流が「１」の場合と同様、洗い行程の洗い時間とすすぎ行程のすすぎ回数の組合せに応じて洗濯処理記号が対応付けられている。
【００４８】
洗濯コースの「デリケート」で設定される「デリケート洗い」及び「デリケートすすぎ」には、洗い時間やすすぎ回数に関わらず洗濯処理記号Ｍ１１０が対応付けられている。
【００４９】
洗濯コースの「毛布」で設定される洗い行程及びすすぎ行程には、洗い時間やすすぎ回数に関わらず洗濯処理記号Ｍ１４２、Ｍ１３２が対応付けられている。
【００５０】
なお、この例では、洗い時間、すすぎ回数、及び水流強さに基づいて洗濯処理記号群ＭＡから対応する洗濯処理記号を設定する場合について説明するが、洗い時間、すすぎ回数、及び水流強さの少なくともいずれか1つに基づいて洗濯処理記号を設定してもよく、また、風呂水の使用の有無やすすぎ行程の種類（溜めすすぎ、シャワーすすぎ）などに基づいて洗濯処理記号を設定してもよい。
【００５１】
脱水処理には、図６（ｂ）に例示するように、記号番号４４０，４４５，４３０，４３５，４２０，４２５，４１０，４１５の複数の脱水処理記号Ｍ４４０，Ｍ４４５，Ｍ４３０，Ｍ４３５，Ｍ４２０，Ｍ４２５，Ｍ４１０，Ｍ４１５からなる脱水処理記号群ＭＢが対応付けてメモリ４６ａに記憶されている。
【００５２】
脱水処理で実行する脱水行程の行程内容は、その行程内容が回転槽６に収容された衣類に与える機械力に対応する１又は複数の脱水処理記号が脱水処理記号群ＭＢから選ばれ、選ばれた脱水処理記号と対応付けてメモリ４６ａに記憶されている。
【００５３】
脱水処理記号Ｍ４４０は、脱水処理記号Ｍ４２０，Ｍ４３０，Ｍ４１０よりも衣類に与える機械力の強い行程内容に対応付けられ、脱水処理記号Ｍ４４０，Ｍ４２０，Ｍ４３０，Ｍ４１０の順で漸次弱い行程内容に対応付けられている。脱水処理記号Ｍ４４５は、脱水処理記号Ｍ４２５、Ｍ４３５、Ｍ４１５よりも衣類に与える機械力の強い行程内容に対応付けられ、洗濯処理記号Ｍ４４５、Ｍ４２５、Ｍ４３５、Ｍ４１５の順で漸次弱い行程内容に対応付けられている。
【００５４】
例えば、図８に示すように、脱水行程の実行時間（脱水時間）が１〜４分の場合、脱水処理記号Ｍ４２０，Ｍ４２５が対応付けられ、脱水行程の実行時間（脱水時間）が５〜９分の場合、脱水処理記号Ｍ４４０，Ｍ４４５が対応付けられ、洗濯コースの「デリケート」で設定される「デリケート脱水」の場合、脱水処理記号Ｍ４１０，Ｍ４１５が対応付けられる。
【００５５】
なお、この例では、脱水時間及び脱水時の回転槽６の回転数に基づいて脱水処理記号群ＭＢから対応する脱水処理記号を設定する場合について説明するが、脱水時間又は脱水時の回転槽６の回転数のいずれか1つに基づいて洗濯処理記号を設定してもよい。
【００５６】
乾燥処理には、図６（ｃ）に例示するように、記号番号３２０，３１０，３００の複数のタンブル乾燥処理記号Ｍ３２０，Ｍ３１０，Ｍ３００からなるタンブル乾燥処理記号群ＭＣが対応付けてメモリ４６ａに記憶されている。
【００５７】
乾燥処理で実行する乾燥行程の内容は、その行程内容が回転槽６に収容された衣類に与える機械力に対応する１又は複数の脱水処理記号がタンブル乾燥処理記号群ＭＣから選ばれ、選ばれたタンブル乾燥処理記号と対応付けてメモリ４６ａに記憶されている。
【００５８】
タンブル乾燥処理記号Ｍ３２０は、タンブル乾燥処理記号Ｍ３１０，Ｍ３００よりも衣類に与える機械力が強い行程内容に対応付けられ、タンブル乾燥処理記号Ｍ３２０，Ｍ３１０，M３００の順で漸次弱い行程内容に対応付けられている。なお、タンブル乾燥処理記号Ｍ３００はタンブル乾燥処理ができないことを示す記号である。
【００５９】
例えば、図９に示すように、前記低温乾燥を行う「標準（弱）」、「タイマー（３０分）」、及び「そのまま」の乾燥コースに対してタンブル乾燥処理記号Ｍ３１０が対応付けられ、前記高温乾燥を行う「標準（強）」、「念入り」、及び「アイロン」の乾燥コースに対してタンブル乾燥処理装置Ｍ３２０が対応付けられている。
【００６０】
なお、洗濯処理記号群、脱水処理記号群、及び乾燥処理記号群を構成する洗濯処理記号、脱水処理記号、及び乾燥処理記号は、ＪＩＳ  L  ０００１：２０１４に規定された全ての表示記号であっても、その一部の表示記号であってもよい。
【００６１】
次に、上記構成の洗濯機１の代表的な動作について説明する。
【００６２】
まず、電源入りスイッチ２６が押圧操作された電源投入時の初期状態では、制御装置４６は、予め定められたコースを設定するとともに、設定したコースにおいて実行する行程の内容を予め定められた所定の行程内容に設定する。
【００６３】
この例では、電源投入直後時の初期状態において、制御装置４６は、洗濯コースの「標準」コースを設定し、設定したコースと当該コースにおいて実行する各処理の行程内容を第１表示部４１に表示する（図３参照）。これに加えて、制御装置４６は、設定したコース（ここでは、「標準」コース）において実行する処理の行程内容に対応する表示記号と、当該行程内容より運転強度の強い行程内容に対応する表示記号とをメモリ４６ａから取得し、取得した表示記号を第２表示部４２に表示する。
【００６４】
具体的には、洗濯コースの「標準」の洗濯処理で実行される洗い行程及びすすぎ行程の行程内容（洗い行程の行程内容：水流「３」、洗い時間「８分」、すすぎ行程の行程内容：水流「３」、すすぎ回数「２回」）に対応する表示記号として、制御装置４６は、洗濯処理（洗い行程及びすすぎ行程）に対応付けられた洗濯処理記号群から、当該行程内容に対応する２つの洗濯処理記号Ｍ１４１，Ｍ１３１を取得する（図７（ｃ）参照）。
【００６５】
また、「標準」コースの脱水処理で実行される脱水行程の行程内容（脱水時間「７分」）に対応する表示記号として、制御装置４６は、脱水処理に対応付けられ脱水処理記号群ＭＢから、当該行程内容に対応する２つの脱水処理記号Ｍ４４０，Ｍ４４５を取得する（図８参照）。
【００６６】
つまり、洗濯コースの「標準」コースが設定されると、制御装置４６は、このコースに対応付けられた表示記号として洗濯処理記号Ｍ１４１，Ｍ１３１と脱水処理記号Ｍ４４０，Ｍ４４５とをメモリ４６ａから取得する（図５参照）。
【００６７】
更に、制御装置４６は、「標準」コースにおいて実行する洗濯処理及び脱水処理の行程内容より衣類に与える機械力（負荷）が大きく運転強度の強い行程内容に対応付けられた表示記号も合わせて洗濯処理記号群及び脱水処理記号群から取得する。言い換えれば、制御装置４６は、洗濯処理記号群及び脱水処理記号群の中から「標準」コースに対応する表示記号よりも衣類に与える機械力（負荷）が大きい処理を表す表示記号、ここでは洗濯処理記号Ｍ１４０，Ｍ１３０も合わせて取得する（図５参照）。
【００６８】
そして、制御装置４６は、メモリ４６ａから取得した洗濯処理記号Ｍ１４０，Ｍ１３０，Ｍ１４１，Ｍ１３１と、脱水処理記号Ｍ４４０，Ｍ４４５を操作パネル２５に設けられた第２表示部４２に表示する。この例では、図３に示すように、第２表示部４２は、洗濯処理記号を表示する洗濯表示領域（第１領域）４２ａと、脱水処理記号を表示する脱水処理表示領域（第２領域）４２ｂと、タンブル乾燥処理記号を表示するタンブル乾燥表示領域（第３領域）４２ｃに区画されている。制御装置４６は、取得した処理記号のうち洗濯処理記号Ｍ１４０，Ｍ１３０，Ｍ１４１，Ｍ１３１を洗濯表示領域４２ａに表示させ、脱水処理表示記号Ｍ４４０，Ｍ４４５を脱水処理領域４２ｂに表示する。
【００６９】
上記した「標準」コースの状態から洗濯コース選択スイッチ２９を押圧操作すると、操作される毎に洗濯コースが、「標準」、「つけおき」、「スピーディ」、「メモリ」、「デリケート」、「毛布」の順に設定され、「毛布」から更に洗濯コース選択スイッチ２９を操作すると「標準」に戻る。
【００７０】
このように洗濯コース選択スイッチ２９の操作によって設定されるコースが変更する毎に制御装置４６はそのときに設定されているコースに対応付けられた表示記号と、そのコースにおいて実行する洗濯処理及び脱水処理の行程内容より運転強度の強い行程内容に対応付けられた表示記号とを取得し、取得した表示記号を第２表示部４２に表示する（図５参照）。つまり、洗濯コースを変更する毎に、第２表示部４２に表示され表示記号も変化する。
【００７１】
また、いずれか１つの洗濯コースが設定されている状態から、洗い運転設定スイッチ３２、すすぎ運転設定スイッチ３３、脱水運転設定スイッチ３４、水流設定スイッチ３５、及び風呂水スイッチ３７を操作すると、操作するスイッチに応じて洗い行程、すすぎ行程、及び脱水行程における水流の強弱や実行時間や繰り返し回数が変更されたり、あるいは、洗濯処理における給水源が変更され各行程の行程内容が変更される。制御装置４６は、行程内容が変更される毎にそのときに設定されている行程内容に対応する表示記号と、当該表示記号より運転強度の強い行程内容に対応付けられた表示記号とを取得し、取得した表示記号を第２表示部４２に表示する。
【００７２】
図３に示すような洗濯コースの「標準」コースが設定されている状態から水流設定スイッチ３５を押圧操作すると、水流以外の行程内容を保持したまま水流が「１」〜「５」の間で順に変更設定される。例えば、水流の設定が「３」から「５」に変更され、洗い行程の行程内容が水流「５」で洗い時間「８分」に、すすぎ行程の行程内容が水流「５」ですすぎ回数「２回」に設定されると、制御装置４６は、第１表示部４１における水流の表示を変更する。合わせて制御装置４６は、当該行程内容に対応する洗濯処理記号Ｍ１４０，Ｍ１３０を取得する。この場合、当該行程内容より運転強度の強い行程内容に対応する洗濯処理記号が存在しないため、洗濯処理記号Ｍ１４０，Ｍ１３０を第２表示部４２の洗濯表示領域（第１領域）４２ａに表示する（図１０参照）。なお、上記のように水流の設定が変更されても脱水処理の行程内容は変更されていないため、第２表示部４２の脱水処理表示領域４２ｂには、「標準」コースが設定された時に表示された脱水処理記号Ｍ４４０，Ｍ４４５が継続して表示される。
【００７３】
風呂水スイッチ３７を押圧操作すると、洗濯処理における水流、洗い時間、すすぎ回数や、脱水処理における脱水時間を保持したまま、洗濯処理中の給水源を水道水と風呂水との間で切り替える。例えば、図１１に示すような「標準」コースの水流が「５」に変更された状態から、風呂水スイッチ３７の操作によって洗濯処理中の給水源として風呂水が設定されると、制御装置４６は、第１表示部４１における風呂水の表示を変更する。合わせて制御装置４６は、高温の水が水槽５に供給され高温水による洗い行程及びすすぎ行程が実行される可能性があるとして、当該行程内容に対応する表示記号として洗濯処理記号Ｍ１４０を取得する。この場合、当該行程内容より運転強度の強い行程内容に対応する洗濯処理記号が存在しないため、洗濯処理記号Ｍ１４０を第２表示部４２の洗濯表示領域（第１領域）４２ａに表示する（図１１参照）。なお、上記のように洗濯処理中の給水源が変更されても脱水処理の行程内容は変更されていないため、第２表示部４２の脱水処理表示領域４２ｂには、「標準」コースが設定された時に表示された脱水処理記号Ｍ４４０，Ｍ４４５が継続して表示される。
【００７４】
また、図３に示すような洗濯コースの「標準」コースが設定されている状態から洗い運転設定スイッチ３２を押圧操作すると、水流「３」で洗い行程のみを行う行程内容が設定され、更に洗い運転設定スイッチ３２の押圧操作を繰り返すことで洗い行程の実行時間（洗い時間）が所定範囲（１〜１２分間）で設定される。
【００７５】
例えば、図１２に示すように、洗い行程の行程内容として水流が「３」で洗い時間が「１分」に設定され、すすぎ行程、脱水行程、及び乾燥行程が設定されていない場合、制御装置４６は、洗い行程の行程内容に対応する洗濯処理記号Ｍ１４２，Ｍ１３２と（図７（ｃ）参照）、当該行程内容より運転強度の強い行程内容に対応する洗濯処理記号Ｍ１４０，Ｍ１３０，Ｍ１４１，Ｍ１３１とをメモリ４６ａから取得する。そして、取得した洗濯処理記号Ｍ１４０，Ｍ１３０，Ｍ１４１，Ｍ１３１，Ｍ１４２，Ｍ１３２を洗濯表示領域４２ａに表示する。
【００７６】
更に、図１２に示すような洗い行程のみが設定されている状態からすすぎ運転設定スイッチ３３を押圧操作すると、すすぎ行程のすすぎ回数が所定範囲（１〜４回）で設定される。例えば、図１３に示すように、すすぎ回数が４回に設定されると、制御装置４６は、洗い行程及びすすぎ行程の行程内容に対応する洗濯処理記号Ｍ１４１，１３１と（図７（ｃ）参照）、当該行程内容より運転強度の強い行程内容に対応する洗濯処理記号Ｍ１４０，Ｍ１３０とをメモリ４６ａから取得する。そして、取得した洗濯処理記号Ｍ１４０，１３０，Ｍ１４１，Ｍ１３１を洗濯表示領域４２ａに表示する。
【００７７】
なお、本実施形態では、洗濯処理が洗濯処理記号群ＭＡに対応付けられ、脱水処理が脱水処理記号群ＭＢに対応付けられ、乾燥処理が乾燥処理記号群ＭＣに対応付けられており、１つの処理が１つの処理記号群に対応付けられている場合について説明するが、１つの処理が複数の処理記号群に対応付けられても良い。
【００７８】
例えば、洗濯処理のすすぎ行程において、回転槽６を一方向に高速度で回転させて衣類を遠心脱水する中間脱水行程と、水槽５内に水道水や風呂水を供給するとともに回転槽６を低速度で正逆回転させるすすぎ行程とを実行し、洗濯処理において洗い行程及びすすぎ行程と脱水行程とを複合的に実行する場合、洗濯処理を洗濯処理記号群ＭＡ及び脱水処理記号群ＭＢに対応付け、洗濯処理で行われる洗い行程及びすすぎ行程の行程内容に洗濯処理記号を対応付け、洗濯処理で行われる中間脱水行程及び脱水処理で行われる脱水行程の行程内容に脱水処理記号を対応付けて、第２表示部４２に表示する表示記号を決定してもよい。
【００７９】
洗濯コースの「標準」コースが選択されている初期状態から洗濯・乾燥コースを設定するには、洗乾コース選択スイッチ３０を押圧操作する。すると、制御装置４６は、洗濯コースの「標準」コースと、当該洗濯コースの後に続いて実行する乾燥コースの「標準（強）」コースを設定する。そして、制御装置４６は、図１４に示すように、設定したコースと当該コースにおいて実行する各処理の行程内容を第１表示部４１に表示する。これに加えて、設定したコース（ここでは、洗濯コースの「標準」コースと乾燥コースの「標準（強）」コース）において実行する処理の行程内容に対応する表示記号と、当該行程内容より運転強度の強い行程内容に対応する表示記号とをメモリ４６ａから取得し、取得した表示記号を第２表示部４２に表示する。
【００８０】
具体的には、制御装置４６は、上記したように洗濯コースの「標準」コースに対応する表示記号として、洗濯処理記号Ｍ１４１，Ｍ１３１と脱水処理記号Ｍ４４０，Ｍ４４５とをメモリ４６ａから取得するとともに、これらの表示記号よりも強い処理を表す洗濯処理記号Ｍ１４０，Ｍ１３０も合わせて取得する（図５参照）。
【００８１】
また、制御装置４６は、乾燥コースの「標準（強）」コースに対応する表示記号として、乾燥処理に対応付けられた乾燥処理記号群からタンブル乾燥処理記号Ｍ３２０を取得する。あわせて、取得したタンブル乾燥処理記号Ｍ３２０より強い処理を表す表示記号があれば制御装置４６はこれを取得するが、ここでは、運転強度の強い行程内容に対応するタンブル乾燥処理記号が存在しないため、タンブル乾燥処理記号Ｍ３２０のみを取得する。
【００８２】
そして、制御装置４６は、図１４に示すように、取得した処理記号のうち洗濯処理記号Ｍ１４０，Ｍ１３０，Ｍ１４１，Ｍ１３１を洗濯表示領域４２ａに表示させ、脱水表示記号Ｍ４４０，Ｍ４４５を脱水処理表示領域４２ｂに表示させ、乾燥処理記号Ｍ３２０をタンブル乾燥領域４２ｃに表示させる。
【００８３】
そして、洗濯コースの「標準」コースと乾燥コースの「標準（強）」コースとを実行する洗濯・乾燥コースが設定された状態から、洗乾コース選択スイッチ３０を押圧操作すると、洗濯コースの「標準」コースを維持したまま、乾燥コースを「標準（強）」から「標準（弱）」へ設定が変更される。これに伴い、図１５に示すように、各処理の行程内容を示す第１表示部４１の表示が変更されるとともに、乾燥コースの「標準（弱）」に対応するタンブル乾燥処理記号Ｍ３１０とこの記号よりも強い処理に対応するタンブル乾燥処理記号Ｍ３２０とを第２表示部４２のタンブル乾燥表示領域４２ｃに表示させる。なお、上記した操作では、洗濯コースが変更されないため、第２表示部４２の洗濯表示領域４２ａと、脱水処理表示領域４２ｂの表示は変更されない。
【００８４】
更に、洗乾コース選択スイッチ３０を押圧操作すると、操作される毎に乾燥コースが、「標準（弱）」、「念入り」、「アイロン」、「タイマー（３０分）」、「そのまま」の順に設定され、「そのまま」から更に洗乾コース選択スイッチ３０を操作すると「標準（強）」に戻る。
【００８５】
このように洗乾コース選択スイッチ３０の操作によって設定される乾燥コースが変更する毎に制御装置４６は、そのときに設定されているコースと対応付けられたタンブル乾燥処理記号と、そのコースにおいて実行する乾燥処理の行程内容より運転強度の強い行程内容に対応付けられた表示記号とを取得し、取得した表示記号を第２表示部４２のタンブル乾燥処理記号をタンブル乾燥表示領域４２ｃに表示する。
【００８６】
洗濯コースの「標準」コースが選択されている初期状態から乾燥コースを設定するには、乾燥コース選択スイッチ３１を押圧操作する。すると、制御装置４６は、乾燥コースの「標準（強）」コースを設定する。そして、制御装置４６は、図１６に示すように、設定したコースと当該コースにおいて実行する各処理の行程内容を第１表示部４１に表示する。これに加えて、制御装置４６は、乾燥コースの「標準（強）」コースにおいて実行する乾燥処理の行程内容に対応するタンブル乾燥処理記号Ｍ３２０をメモリ４６ａから取得するとともに、当該行程内容より運転強度の強い行程内容に対応する表示記号があれば制御装置４６はこれを取得するが、ここでは、運転強度の強い行程内容に対応するタンブル乾燥処理記号が存在しないため、タンブル乾燥処理記号Ｍ３２０を第２表示部４２のタンブル乾燥表示領域４２ｃに表示する。
【００８７】
更に、乾燥コース選択スイッチ３１を押圧操作すると、操作される毎に乾燥コースが、「標準（強）」、「標準（弱）」、「念入り」、「アイロン」、「タイマー（３０分）」、「そのまま」の順に設定され、「そのまま」から更に洗乾コース選択スイッチ３０を操作すると「標準（強）」に戻る。
【００８８】
このように乾燥コース選択スイッチ３１の操作によって設定される乾燥コースが変更する毎に制御装置４６は、そのときに設定されているコースと対応付けられたタンブル乾燥処理記号と、そのコースにおいて実行する乾燥処理の行程内容より運転強度の強い行程内容に対応付けられた表示記号とを取得し、取得した表示記号を第２表示部４２のタンブル乾燥処理記号をタンブル乾燥表示領域４２ｃに表示する。
【００８９】
そして、洗濯機１で実行する処理及び各処理において行われる行程内容の設定が完了した後は、スタートスイッチ２８を押圧操作することで、設定した行程内容に基づいて洗濯機１の運転が開始する。
【００９０】
以上のような本実施形態の洗濯機１によれば下記の効果を奏する。すなわち、本実施形態の洗濯機１では、洗濯処理、脱水処理、及び乾燥処理で行う行程内容を設定すると、設定した行程内容に対応する表示記号が第２表示部４２に表示されるため、衣類に付された表示記号と第２表示部４２に表示された表示記号とを対比することで、使用者が衣類に適合した処理及び行程内容を簡単に選択することができる。
【００９１】
制御装置４６は、行程内容が変更される毎に変更後の行程内容に対応する表示記号を表示するため、使用者が各処理の行程内容を変更しながら衣類に適合した処理及び行程内容を探し出すことができる。
【００９２】
また、第２表示部４２が、洗濯処理記号を表示する洗濯表示領域４２ａと、脱水処理記号を表示する脱水処理表示領域４２ｂと、タンブル乾燥処理記号を表示するタンブル乾燥表示領域４２ｃに区画されているため、各処理毎に表示記号を整理して第２表示部４２に表示することができ、視認性に優れている。
【００９３】
また、本実施形態では、制御装置４６が、設定した処理の行程内容に対応する表示記号だけでなく、当該行程内容より運転強度の強い行程内容に対応する表示記号も第２表示部４２に表示させるため、つまり、実際に洗濯機１に設定された行程内容より強い行程内容に対応する表示記号が付された衣類も処理可能であることを使用者に知らしめることができ、使用者が選択できる行程内容の種類が増え使い勝手を向上させることができる。
【００９４】
（変更例１）
上記した実施形態では、設定された処理に対応する表示記号を第２表示部４２に表示させ、設定されていない処理に対応する表示記号を第２表示部４２に表示しない場合について説明したが、設定されていない処理は衣類が負荷を受けない最も運転強度の弱い行程内容として、当該処理に対応する表示記号群に属する表示記号をすべて第２表示部４２に表示させてもよい。
【００９５】
例えば、洗濯コースのように洗濯処理及び脱水処理が設定され、乾燥処理が設定されていない場合、洗濯処理及び脱水処理の工程内容に対応する洗濯処理記号及び脱水処理記号と、当該行程内容より運転強度の強い行程内容に対応する洗濯処理記号及び脱水処理記号を第２表示部４２に表示するとともに、乾燥処理に対応付けられたタンブル乾燥処理記号群ＭＣの全ての乾燥処理記号を第２表示部４２に表示してもよい。
【００９６】
このような場合、洗濯機１に設定された処理及び工程内容によって処理可能な衣類を、その衣類に付された表示記号に即して表示することができ、使い勝手を向上することができる。
【００９７】
（変更例２）
上記した実施形態では、制御装置４６は、設定した処理の行程内容に対応する表示記号と、当該行程内容より運転強度の強い行程内容に対応する表示記号とを第２表示部４２に表示する場合について説明したが、当該行程内容より運転強度の強い行程内容に対応する表示記号を表示せず、設定した処理の行程内容に対応する表示記号のみを第２表示部４２に表示してもよい。
【００９８】
（変更例３）
上記した実施形態では、表示記号を表示する第２表示部４２が、操作パネル２５に設けられている場合について説明したが、例えば、携帯端末など洗濯機１の外部に設けられた表示端末に表示させてもよい。
【００９９】
（変更例４）
上記した実施形態では、表示記号としてＪＩＳ  Ｌ  ０００１に規定された表示記号を採用する場合について説明したが、表示記号としてＪＩＳ  Ｌ  ０２１７などの他の規格に基づく表示記号であってもよい。また、切替スイッチなどを設け複数の規格に基づく表示記号を相互に関連づけてメモリ４６ａに記憶させ、切替スイッチなどの操作によって異なる複数の規格に基づく表示記号を第２表示部４２に切り替えて表示させてもよい。
【０１００】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１０１】
１…洗濯機、５…水槽、６…回転槽、２５…操作パネル、２６…入りスイッチ、２７…切りスイッチ、２８…スタートスイッチ、２９…洗濯コース選択スイッチ、３０…洗乾コース選択スイッチ、３１…乾燥コース選択スイッチ、３２…運転設定スイッチ、３３…運転設定スイッチ、３４…脱水運転設定スイッチ、３５…水流設定スイッチ、３６…水位設定スイッチ、３７…風呂水スイッチ、４１…第１表示部、４２…第２表示部、４６…制御装置、４６ａ…メモリ
【図１】
0006674246.tif 000002
【図２】
0006674246.tif 000003
【図３】
0006674246.tif 000004
【図４】
0006674246.tif 000005
【図５】
0006674246.tif 000006
【図６】
0006674246.tif 000007
【図７】
0006674246.tif 000008
【図８】
0006674246.tif 000009
【図９】
0006674246.tif 000010
【図１０】
0006674246.tif 000011
【図１１】
0006674246.tif 000012
【図１２】
0006674246.tif 000013
【図１３】
0006674246.tif 000014
【図１４】
0006674246.tif 000015
【図１５】
0006674246.tif 000016
【図１６】
0006674246.tif 000017